(57)【特許請求の範囲】
【請求項１】
電力系統の構成をスケルトンの結合で表示した監視制御画面から監視制御を行う監視制御システムにおいて、
電力系統を構成する設備・機器の接続関連図（系統図）を単線結線図作成ＣＡＤにより描くことで作成した設備・機器の仮想シンボル表現の属性データ、および前記設備・機器の仮想シンボル表現の接続関係データを保存しておくデータベースと、
前記属性データおよび接続関係データから、監視制御システムとして必要とするスケルトンデータを生成して前記データベースに保存する監視画面データ生成処理手段を備え、
前記監視画面データ生成処理手段は、
前記系統図を表示したウインドウよりスケルトン図表示に必要な範囲を指定してスケルトンデータとして取り込み、スケルトン図の取り込み先の範囲を指定することによりスケルトンデータからスケール調整したスケルトンシンボルを生成してスケルトン図の取り込み先に配置する系統図取り込み手段と、
スケルトンシンボルをスケルトン図上に取り込んだタイミングで、前記属性データとスケルトン図上のスケルトンシンボルのリンク情報を自動的に保持する自動リンク手段と、
スケルトンシンボルをスケルトン図上に取り込んだタイミングで、前記系統図のウインドウで使用していた仮想シンボルからスケルトン図上で使用するスケルトンシンボルへの自動変換を行うシンボル変換手段と、
スケルトンシンボルをスケルトン図上に取り込むタイミングで、前記スケルトン図の種類により貼り付け対象となるスケルトンシンボルを抑制する貼り付け対象抑制手段と、
前記系統図より設備・機器を取り込む際に、設備・機器に所属する前記属性データを同時にスケルトン上の必要シンボルとして取り込み、スケルトンシンボルをスケルトン図上に貼り付けるタイミングで、前記必要シンボルを自動的に所定位置に配置する自動配置手段と、
を備えたことを特徴とする監視制御システム。
【発明の詳細な説明】
【０００１】
【発明の属する技術分野】
本発明は、電力系統の監視制御システムに係り、特に単線結線図から監視制御画面データ（スケルトンデータ）を生成する監視画面データの生成装置に関する。
【０００２】
【従来の技術】
変電所等の電力系統の監視制御システムにおける系統監視制御画面を得るためのオフラインデータ（以下基本データと呼ぶ）は次のように分類される。
【０００３】
（１）設備、装置、開閉器、リレー、故障表示器の属性データ
（２）設備、開閉器の接続関係（接続子と呼ぶ）のデータ
（３）監視制御を実施するためのスケルトンデータ
上記３つに分類されたデータの内、基本データの（１）と（２）においては単線結線図上で仮想シンボルとして表現される。
【０００４】
これにより単線結線図作成ＣＡＤにより接続関連図（以下、系統図と称す）を描く事により、基本データ（１）と（２）のデータ入力を視覚的に行い、確認することができる。
【０００５】
基本データ（３）のスケルトンデータは、単線結線図作成ＣＡＤで描いた系統図と異なる性質を持つため、別扱いとして独自に作画を行う。この作画方法としては以下の方法がある。
【０００６】
（１）スケルトン作画ツールを用いて監視制御画面として必要なシンボルを作画対象とするスケルトンに定義する。シンボルとは設備、開閉器などを表わし、その詳細な分類により形状が異なる。
【０００７】
（２）単線結線図作成ＣＡＤにて作成した属性データとスケルトン上定義したシンボルを１つずつ詳細な分類をたよりに検索し、結びつけを行う。
【０００８】
【発明が解決しようとする課題】
従来のスケルトンデータ作成方法には、以下の問題がある。
【０００９】
（１）スケルトン作画ツールを用いた場合、単線結線図作成ＣＡＤによるデータ作成の際に設備、装置、開閉器の詳細な分類を意識したにも関わらず、スケルトンデータ作成の手順でも分類を意識する必要があり、作業効率が悪い。
【００１０】
（２）単線結線図作成ＣＡＤを用いた場合、それで作成した属性データとスケルトン上のシンボルとの結びつけを人間が行っているため、不注意または集中力の欠如により矛盾が発生することが多い。
【００１１】
例えば、誤った設備、装置、開閉器と結び付けてしまうことがある。また、単線結線図作成ＣＡＤにて作成した属性データに影響するスケルトンデータの保守（同期）を人間がとる必要がある。’
なお、系統図そのものをスケルトンデータとすることが考えられるが、この場合には以下の問題がある。
【００１２】
（３）系統図は監視制御を行うために必要なデータ（仮想シンボル）が全て描かれており、監視制御画面としては必要としないものもあり煩雑である。
【００１３】
（４）単線結線図作成ＣＡＤでは、変電所内の設備、開閉器の接続関係を表わす必要が有る事から変電所全体を１つの関連図として表現しているが、監視制御画面としてはある単位のブロック化が必要となる。更に監視制御システムとしての運用上、どのようにスケルトン画面を構成するかという定義が存在しないため、自動的に系統図からスケルトン画面を生成する事が不可能である。
【００１４】
本発明の目的は、系統図から確実、容易にスケルトンデータを作成できる監視制御システムを提供することにある。
【００１５】
【課題を解決するための手段】
本発明は、単線結線図作成ＣＡＤで作成した系統図よりスケルトンとして必要な範囲を指定することによりスケルトンデータとして取り込みを行い、取り込み元及び取り込み先の両方を範囲指定する事により取り込んだタイミングでスケルトン図のスケール調整を行い、各描画要素（線、シンボル、文字）を再配置するようにしたもので、以下の構成を特徴とする。
【００１６】
電力系統の構成をスケルトンの結合で表示した監視制御画面から監視制御を行う監視制御システムにおいて、
電力系統を構成する設備・機器の接続関連図（系統図）を単線結線図作成ＣＡＤにより描くことで作成した設備・機器の仮想シンボル表現の属性データ、および前記設備・機器の仮想シンボル表現の接続関係データを保存しておくデータベースと、
前記属性データおよび接続関係データから、監視制御システムとして必要とするスケルトンデータを生成して前記データベースに保存する監視画面データ生成処理手段を備え、
前記監視画面データ生成処理手段は、
前記系統図を表示したウインドウよりスケルトン図表示に必要な範囲を指定してスケルトンデータとして取り込み、スケルトン図の取り込み先の範囲を指定することによりスケルトンデータからスケール調整したスケルトンシンボルを生成してスケルトン図の取り込み先に配置する系統図取り込み手段と、
スケルトンシンボルをスケルトン図上に取り込んだタイミングで、前記属性データとスケルトン図上のスケルトンシンボルのリンク情報を自動的に保持する自動リンク手段と、
スケルトンシンボルをスケルトン図上に取り込んだタイミングで、前記系統図のウインドウで使用していた仮想シンボルからスケルトン図上で使用するスケルトンシンボルへの自動変換を行うシンボル変換手段と、
スケルトンシンボルをスケルトン図上に取り込むタイミングで、前記スケルトン図の種類により貼り付け対象となるスケルトンシンボルを抑制する貼り付け対象抑制手段と、
前記系統図より設備・機器を取り込む際に、設備・機器に所属する前記属性データを同時にスケルトン上の必要シンボルとして取り込み、スケルトンシンボルをスケルトン図上に貼り付けるタイミングで、前記必要シンボルを自動的に所定位置に配置する自動配置手段と、
を備えたことを特徴とする。
【００１７】
【発明の実施の形態】
図１は、本発明の実施形態を示す監視制御システムの構成図である。監視制御入出力装置１は、現場機器の状態や計測値を監視情報として入力し、監視情報に基づいた現場機器の制御情報を出力する。入出力装置１が入力した監視情報は、ＬＡＮ等のネットワークや結合バスを介してホストコンピュータ２やデータベース３に取り込まれ、ホストコンピュータ２ではソフトウェア構成の監視制御処理機能２1による監視制御を行う。
【００１８】
この監視制御に際して、ＣＲＴやディスプレイパネル等からなる表示装置４に監視画面を表示し、キーボードやマウス等からなる操作装置５により機器操作や制御入力を行う。
【００１９】
データベース３は、監視制御画面表示を得るための基本データを保存する。すなわち、（Ａ）設備、装置、開閉器、リレー、故障表示器の属性データと、（Ｂ）設備、開閉器の接続関係（接続子と呼ぶ）のデータと、（Ｃ）監視制御を実施するためのスケルトンデータを保存する。
【００２０】
ここで、ホストコンピュータ２は、単線結線図作成ＣＡＤで作成した系統図から監視制御システムとして必要とするスケルトンデータを生成する監視画面データ生成処理機能２2を設ける。この機能には、系統図取り込み機能２3と、自動リンク機能２4と、シンボル変換機能２5と、張り付け対象抑制機能２6及び自動配置機能２7を実行できる処理を含む。これら各機能を以下に詳細に説明する。
【００２１】
（系統図取り込み機能２3）
系統図を表示しているウインドウ（以下、系統ビューと称す）よりスケルトン表示に必要な範囲を指定し、コピー＆ペースト処理によりスケルトンデータとして取り込みを行う機能である。
【００２２】
取り込み元及び取り込み先の両方を範囲指定する事により取り込んだタイミングでスケルトン図のスケール調整が行われ各描画要素（線、シンボル、文字）が再配置される。
【００２３】
この系統図取り込み機能によるウインドウ構成例は図２に示すようになり、図３に対応付けて示す以下の手順で実現される。
【００２４】
（Ｓ１，Ｓ２）スケルトン作成対象となる系統ビュー及び作画を行うスケルトンビューを表示する。
【００２５】
（Ｓ３）メユーより「系統図取り込み」を選択する。
【００２６】
（Ｓ４，Ｓ５）系統ビューより取り込み範囲をラバーバンドにて指定する。これにより自動的に系統ビュー上で指定した範囲より取り込まれるスケルトンシンボルを生成する。
【００２７】
（Ｓ６）貼り付けを行うスケルトンビュー上にて貼り付け範囲を指定する。
【００２８】
（Ｓ７）指定した２つの範囲からスケール調整を行う。これにより、スケルトンビュー上の指定範囲内に系統ビューにて取り込みを行ったスケルトンを生成する。
【００２９】
（Ｓ８）生成したスケルトンデータを使って表示処理を行う。
【００３０】
この系統図取り込み機能を実現する上では以下に示すようないくつかの問題点がある。
【００３１】
（ａ）系統図にて属性データを変更した場合、影響のあるスケルトン図への反映。
【００３２】
（ｂ）系統図で表現される仮想シンボルとスケルトンシンボルとの対応。
【００３３】
（ｃ）スケルトン画面種別による系統図取り込みシンボルの違い。
【００３４】
（ｄ）系統図上表現されていないスケルトンシンボルの展開および配置。
【００３５】
そこで、これら問題点を解決するため、次のような機能を用意する。
【００３６】
（自動リンク機能２4）
単線結線図作成ＣＡＤにて作成した属性データとスケルトン上のシンボルをスケルトン上に取り込んだタイミングで自動的にリンク情報を保持する機能である。これにより系統図による変更を影響あるスケルトン図に反映させることが可能となる。
【００３７】
（シンボル変換機能２5）
系統図にて表現される仮想シンボルは、スケルトン上で使用するシンボルとは異なっているため系統図で使用していた仮想シンボルからスケルトン上で使用するスケルトンシンボルへの自動変換をスケルトン上に取り込んだタイミングで行う機能である。
【００３８】
これにより系統シンボルとスケルトンシンボルの対応を作画時に意識する必要がなくなる。
【００３９】
（貼付け対象抑制機能２6）
監視制御システムにおける監視制御画面としては、変電所等の全体を表現するスケルトン画面と制御を実施するためにブロック化したスケルトン画面がある。これらスケルトン画面の種類により必要とするスケルトンシンボルが異なってくる。よって、取り込みを実施するスケルトンの種類によって貼り付け対象（シンボル）の抑制を取り込みのタイミングで行う機能である。
【００４０】
これにより同一系統図から種類の異なったスケルトン画面の作成を取り込み機能のみで行うことができる。
【００４１】
（自動配置機能２7）
スケルトンシンボルとして必要となる計測値情報は、系統図上シンボルとしては表現されず設備シンボルの属性データとして定義されている。そこで、系統図より設備の取り込みを行う際に、設備に所属する属性データを同時にスケルトン上の必要シンボルとして取り込みを行い、スケルトン上に貼り付ける際に自動的に所定位置に配置する機能である。この自動配置の例を図４に示す。
【００４２】
これにより系統図上表現されていないデータをスケルトンシンボルとして表現することができ、更に取り込み機能のみでスケルトン図としての適切な位置に配置することができる。
【００４３】
【発明の効果】
以上のとおり、本発明によれば、単線結線図作成ＣＡＤで作成した系統図よりスケルトンとして必要な範囲を指定することによりスケルトンデータとして取り込みを行い、取り込み元及び取り込み先の両方を範囲指定する事により取り込んだタイミングでスケルトン図のスケール調整を行い、各描画要素を再配置するようにしたため、系統図から確実、容易にスケルトンデータを作成できる効果がある。
【図面の簡単な説明】
【図１】本発明の実施形態を示す監視制御システムの構成図。
【図２】実施形態におけるスケルトン作画ウインドウ構成を示す画面イメージ。
【図３】実施形態における系統図取り込み処理フロー。
【図４】実施形態における設備取り込みによる関連属性データ自動配置を示す画面イメージ。
【符号の説明】
２…ホストコンピュータ
３…データベース
２1…監視制御処理機能
２2…監視画面データ生成処理機能
２3…系統図取り込み機能
２4…自動リンク機能
２5…シンボル変換機能
２6…貼り付け対象抑制機能
２7…自動配置機能
【図１】
0004032491.tif 000002
【図２】
0004032491.tif 000003
【図３】
0004032491.tif 000004
【図４】
0004032491.tif 000005